【手続補正書】
【提出日】平成27年6月16日(2015.6.16)
【手続補正１】
【補正対象書類名】明細書
【補正対象項目名】０００５
【補正方法】変更
【補正の内容】
【０００５】
本発明の課題は、特定の対象の嗜好を考慮して、地図上での特徴的な地点の表示態様を決定することができる表示制御装置、表示制御方法及びプログラムを提供することである。
【手続補正２】
【補正対象書類名】明細書
【補正対象項目名】０００６
【補正方法】変更
【補正の内容】
【０００６】
上記課題を解決するため、本発明の表示制御装置は、分類対象情報と関連付けられ、当該分類対象情報を複数のカテゴリーのうちの少なくとも何れか一のカテゴリーに分類するための基準となる分類基準情報を取得する第１取得手段と、この第１取得手段により取得された前記分類基準情報の数を各カテゴリー毎に計数する計数手段と、前記複数のカテゴリーの各々に属し、表示手段に表示された地図上で表示可能な特徴的な地点の位置情報を取得する第２取得手段と、前記計数手段による計数結果に基づいて、前記第２取得手段により取得された前記位置情報に対応する特徴的な地点の前記地図上での表示態様を決定する決定手段と、を備えることを特徴とする。
【手続補正３】
【補正対象書類名】明細書
【補正対象項目名】０００７
【補正方法】変更
【補正の内容】
【０００７】
また、本発明の表示制御方法は、表示制御装置を用いた表示制御方法であって、分類対象情報と関連付けられ、当該分類対象情報を複数のカテゴリーのうちの少なくとも何れか一のカテゴリーに分類するための基準となる分類基準情報を取得するステップと、取得された前記分類基準情報の数を各カテゴリー毎に計数するステップと、前記複数のカテゴリーの各々に属し、表示手段に表示された地図上で表示可能な特徴的な地点の位置情報を取得するステップと、各カテゴリー毎に計数された前記分類基準情報の数の計数結果に基づいて、前記位置情報に対応する特徴的な地点の前記地図上での表示態様を決定するステップと、を有することを特徴とする。
【手続補正４】
【補正対象書類名】明細書
【補正対象項目名】０００８
【補正方法】変更
【補正の内容】
【０００８】
また、本発明のプログラムは、表示制御装置のコンピュータを、分類対象情報と関連付けられ、当該分類対象情報を複数のカテゴリーのうちの少なくとも何れか一のカテゴリーに分類するための基準となる分類基準情報を取得する手段、取得された前記分類基準情報の数を各カテゴリー毎に計数する手段、前記複数のカテゴリーの各々に属し、表示手段に表示された地図上で表示可能な特徴的な地点の位置情報を取得する手段、各カテゴリー毎に計数された前記分類基準情報の数の計数結果に基づいて、前記位置情報に対応する特徴的な地点の前記地図上での表示態様を決定する手段、として機能させる。
【手続補正５】
【補正対象書類名】明細書
【補正対象項目名】０００９
【補正方法】変更
【補正の内容】
【０００９】
本発明によれば、特定の対象の嗜好を考慮して、地図上での特徴的な地点の表示態様を決定することができる。
【手続補正６】
【補正対象書類名】特許請求の範囲
【補正対象項目名】全文
【補正方法】変更
【補正の内容】
【特許請求の範囲】
【請求項１】
分類対象情報と関連付けられ、当該分類対象情報を複数のカテゴリーのうちの少なくとも何れか一のカテゴリーに分類するための基準となる分類基準情報を取得する第１取得手段と、
この第１取得手段により取得された前記分類基準情報の数を各カテゴリー毎に計数する計数手段と、
前記複数のカテゴリーの各々に属し、表示手段に表示された地図上で表示可能な特徴的な地点の位置情報を取得する第２取得手段と、
前記計数手段による計数結果に基づいて、前記第２取得手段により取得された前記位置情報に対応する特徴的な地点の前記地図上での表示態様を決定する決定手段と、
を備えることを特徴とする表示制御装置。
【請求項２】
前記第２取得手段は、前記複数のカテゴリーの各々に属し、表示手段に表示された地図上で表示可能な特徴的な地点の位置情報を複数取得し、
前記決定手段は、前記計数手段による計数結果に基づいて、前記第２取得手段により取得された前記複数の位置情報に対応する前記複数の特徴的な地点を前記地図上で識別表示するための識別情報の表示態様を決定する、
ことを特徴とする請求項１に記載の表示制御装置。
【請求項３】
前記決定手段は、更に、前記複数の特徴的な地点のうち、前記計数手段により計数された前記分類基準情報の数がより多いカテゴリーに属する特徴的な地点を優先するように、当該複数の特徴的な地点に係る前記識別情報の表示態様を決定することを特徴とする請求項２に記載の表示制御装置。
【請求項４】
前記決定手段は、更に、前記計数手段により計数された前記分類基準情報の総数が所定数を超えた場合に、前記複数の特徴的な地点に係る前記識別情報の表示態様を決定することを特徴とする請求項２又は３に記載の表示制御装置。
【請求項５】
前記決定手段は、更に、前記表示手段に表示される地図の縮尺に係る情報に基づいて、前記複数の特徴的な地点に係る前記識別情報の表示態様を決定することを特徴とする請求項２〜４の何れか一項に記載の表示制御装置。
【請求項６】
前記決定手段は、更に、前記表示手段に表示される地図の所定範囲内に含まれる特徴的な地点の数に基づいて、前記複数の特徴的な地点に係る前記識別情報の表示態様を決定することを特徴とする請求項２〜５の何れか一項に記載の表示制御装置。
【請求項７】
前記第１取得手段は、前記分類基準情報を各ユーザ毎に取得し、
前記計数手段は、各カテゴリーの前記分類基準情報の数を各ユーザ毎に計数し、
前記決定手段は、前記係数手段による各ユーザ毎の計数結果に基づいて、前記識別情報の表示態様を各ユーザ毎に決定することを特徴とする請求項２〜６の何れか一項に記載の表示制御装置。
【請求項８】
画像情報を前記分類対象情報として取得する第３取得手段と、
前記複数のカテゴリーの中で、前記第３取得手段により取得された画像情報が属する少なくとも一のカテゴリーを特定する第１特定手段と、
この第１特定手段により特定された少なくとも一のカテゴリーに前記画像情報を分類するための基準となる前記分類基準情報を生成する生成手段と、を更に備え、
前記第１取得手段は、前記生成手段により生成された前記分類基準情報を取得することを特徴とする請求項２〜７の何れか一項に記載の表示制御装置。
【請求項９】
前記第２取得手段により取得された前記位置情報と前記画像情報の撮像位置情報とに基づいて、当該画像情報に対応する特徴的な地点を特定する第２特定手段を更に備え、
前記第１特定手段は、前記複数のカテゴリーのうち、前記第２特定手段により特定された特徴的な地点が属するカテゴリーを前記画像情報が属するカテゴリーとして特定することを特徴とする請求項８に記載の表示制御装置。
【請求項１０】
前記画像情報に含まれる被写体を認識する認識手段を更に備え、
前記第１特定手段は、前記認識手段による認識結果に基づいて、前記複数のカテゴリーの中で、前記画像情報が属する少なくとも一のカテゴリーを特定することを特徴とする請求項８又は９に記載の表示制御装置。
【請求項１１】
表示制御装置を用いた表示制御方法であって、
分類対象情報と関連付けられ、当該分類対象情報を複数のカテゴリーのうちの少なくとも何れか一のカテゴリーに分類するための基準となる分類基準情報を取得するステップと、
取得された前記分類基準情報の数を各カテゴリー毎に計数するステップと、
前記複数のカテゴリーの各々に属し、表示手段に表示された地図上で表示可能な特徴的な地点の位置情報を取得するステップと、
各カテゴリー毎に計数された前記分類基準情報の数の計数結果に基づいて、前記位置情報に対応する特徴的な地点の前記地図上での表示態様を決定するステップと、
を有することを特徴とする表示制御方法。
【請求項１２】
表示制御装置のコンピュータを、
分類対象情報と関連付けられ、当該分類対象情報を複数のカテゴリーのうちの少なくとも何れか一のカテゴリーに分類するための基準となる分類基準情報を取得する手段、
取得された前記分類基準情報の数を各カテゴリー毎に計数する手段、
前記複数のカテゴリーの各々に属し、表示手段に表示された地図上で表示可能な特徴的な地点の位置情報を取得する手段、
各カテゴリー毎に計数された前記分類基準情報の数の計数結果に基づいて、前記位置情報に対応する特徴的な地点の前記地図上での表示態様を決定する手段、
として機能させるためのプログラム。